(57)【要約】      （修正有）【課題】ごみ容器の蓋体の開閉を容易にする開閉機構を実現する。【解決手段】下端を枢支部として擺動自在とした蓋体１０によりごみ容器本体１の前面に設けた開口２を開閉する機構において、上下方向を長くした長孔からなる軸受け３と、この長孔に遊嵌される枢軸により枢支部を構成することにより、ごみ容器本体に対し蓋体が上下方向に偏位可能とすると共に、容器本体の開口の上方及び蓋体の上方に設けた互いに係止可能な係止片同士の離脱方向を、容器本体側の係止片４に対し蓋体側の係止片１２が上昇する方向とする。【選択図】図１
2008303044.tif 000002
【特許請求の範囲】
【請求項１】
下端を枢支部として擺動自在とした蓋体によりごみ容器本体の前面に設けた開口を開閉する機構において、上下方向を長くした長孔と、この長孔に遊嵌される枢軸により枢支部を構成することにより、ごみ容器本体に対し蓋体が上下方向に偏位可能とすると共に、容器本体の開口の上方及び蓋体の上方に設けた互いに係止可能な係止片同士の離脱方向を、容器本体側の係止片に対し蓋体側の係止片が上昇する方向としたことを特徴とするごみ容器の蓋体の開閉機構。
【請求項２】
容器本体側の係止片の蓋体側の壁面を、斜め上方に向かって後退する傾斜面とすると共に、蓋体側の係止片の容器本体側の壁面を斜め下方に向かって後退する傾斜面とすることにより、蓋体が容器本体に向かって擺動して両者の係止片が当接した際に蓋体側の係止片が容器本体側の係止片の蓋体側の壁面を乗り越え可能とした請求項１記載のごみ容器の蓋体の開閉機構。
【請求項３】
蓋体の前面に開閉の際の手掛かりとなる凹陥部を設けると共に、上記凹陥部は水平面からなる上方側の壁面と、斜め上方に向かって後退する傾斜面からなる下方側の壁面を有する請求項１又は２記載のごみ容器の蓋体の開閉機構。
【発明の詳細な説明】
【技術分野】
【０００１】
この発明はごみ容器の蓋体の開閉機構に関し、より詳細にはワンタッチで開閉、閉止可能な開閉機構に関する。
【背景技術】
【０００２】
ごみを投入するための開口を容器本体の正面に設けたごみ容器が公知である（例えば、特許文献１、２）。このような構成とすることにより、上下に複数の部屋を設けたごみ容器を実現することが可能となり、ごみの分別収容に有効である。
【０００３】
また、上記の場合において、下端を枢支部として擺動自在とした蓋体によりごみ容器本体の前面に設けた開口を開閉する機構も上記特許文献において公知である。
【０００４】
【特許文献１】特開平８−２６８５０１号公報
【特許文献２】特開平８−８１００２号公報
【特許文献３】実用新案登録第３１１３１５０号公報
【発明の開示】
【発明が解決しようとする課題】
【０００５】
前記の従来技術の蓋体は下端を枢支部として擺動するので自重により開放する作用を得ることができる。しかしながら、その反面、閉止位置に蓋体を止めるためには固定手段を別途設けなくてはならず、ごみの投入のたびにこの固定手段をいちいち操作しなくてはならない煩わしさがあった。
【０００６】
一方、例えば特許文献３において公知のごみ容器のように、蓋体の上端を枢支部として擺動するようにすれば上記問題は解消するが、その場合は開放時に蓋体は自重により閉止方向に擺動しようとするので、ごみの投入のたびに片手で蓋体をいちいち押さえておかなければならない煩わしさがあった。
【課題を解決するための手段】
【０００７】
この発明は前記の問題点を解消するごみ容器の蓋体の開閉機構を提供することを目的として創作されたものであり、下端を枢支部として擺動自在とした蓋体によりごみ容器本体の前面に設けた開口を開閉する機構において、上下方向を長くした長孔と、この長孔に遊嵌される枢軸により枢支部を構成することにより、ごみ容器本体に対し蓋体が上下方向に偏位可能とすると共に、容器本体の開口の上方及び蓋体の上方に設けた互いに係止可能な係止片同士の離脱方向を、容器本体側の係止片に対し蓋体側の係止片が上昇する方向としたことを特徴とする。
【０００８】
また、ここでは第２発明として、前記の第１発明において容器本体側の係止片の蓋体側の壁面を、斜め上方に向かって後退する傾斜面とすると共に、蓋体側の係止片の容器本体側の壁面を斜め下方に向かって後退する傾斜面とすることにより、蓋体が容器本体に向かって擺動して両者の係止片が当接した際に蓋体側の係止片が容器本体側の係止片の蓋体側の壁面を乗り越え可能とした開閉機構も開示する。
【０００９】
また、ここでは第３発明として、前記の第１発明又は第２発明において蓋体の前面に開閉の際の手掛かりとなる凹陥部を設けると共に、上記凹陥部は水平面からなる上方側の壁面と、斜め上方に向かって後退する傾斜面からなる下方側の壁面を有する開閉機構も開示する。
【発明の効果】
【００１０】
前記の第１発明の開閉機構によれば、蓋体は下端を枢支部として擺動するので自重により開放する。一方、上下方向を長くした長孔と、この長孔に遊嵌される枢軸により蓋体と容器本体との枢支部を構成しているので、蓋体が開口側に位置する際にそれを上方に引き上げることが可能となり、離脱方向を容器本体側の係止片に対し蓋体側の係止片が上昇する方向とした係止片同士の離脱を蓋体を引き上げるだけで行うことができる。よって、蓋体の閉止のための固定装置を別途設ける必要がなく、また、蓋体の閉止状態の固定及び解除も片手で行うことが可能となる。
【００１１】
また、第２発明の開閉機構によれば、容器本体側の係止片の蓋体側の壁面を、斜め上方に向かって後退する傾斜面とすると共に、蓋体側の係止片の容器本体側の壁面を斜め下方に向かって後退する傾斜面とすることにより、蓋体が容器本体に向かって擺動して両者の係止片が当接した際に蓋体側の係止片が容器本体側の係止片の蓋体側の壁面を乗り越え可能としているので、蓋体の閉止にあたって意識的にそれを引き上げなくても、単に擺動させるだけで係止片同士の乗り越えにより係止が完了することとなる。
【００１２】
また、第３発明の開閉機構によれば、水平面からなる上方側の壁面と、斜め上方に向かって後退する傾斜面からなる下方側の壁面を有する凹陥部を蓋体の前面に設け、開閉の際の手掛かりとすることにより、使用者が上記手掛かりに手を差し入れた際に下方側の壁面の傾斜面に接した手先が蓋体を持ち上げる方向に誘導されることとなる。
【発明を実施するための最良の形態】
【００１３】
以下、この発明の具体的実施例を添付図面に基づいて説明する。図１はこの発明の開閉機構を実施したごみ容器の要部の斜視図である。図中符号１はごみ容器本体であり、ごみを投入するための開口２が前面に設けられる。ここではごみ容器として上下に複数の開口を有する分別収容可能なものを想定しているが、ごみ容器はこれに限らないことはいうまでもない。
【００１４】
図中符号１０は、前記のごみ容器本体１の開口２を被蓋するために下端を枢支部としてごみ容器本体１に対して擺動自在に取り付けられる蓋体である。この蓋体１０は両端に設けたフランジ１０Ａ、１０Ａの下端内方に突設した枢軸１１、１１を、容器本体１の開口２の下方両側付近に突設した軸受け３、３に遊嵌することにより枢支される（図２及び３参照）。上記軸受け３は軸受け孔として上下方向を長くした長孔を設けており、その結果、ごみ容器本体に対し蓋体が上下方向に偏位可能となる作用を得られる。
【００１５】
以上のごみ容器本体１と蓋体１０は容器本体の開口２の上方及び蓋体の上方に設けた係止片同士の係止により被蓋状態で固定される。図中符号４は容器本体１側の係止片であり、蓋体１０側の係止片１２が上方より内部に挿入されて係止可能なように、上方を開放したほぼＬ字状の鉤型に構成される。一方、蓋体１０側の係止片１２は前記の容器本体１側の係止片４内に挿入可能な挿入子を垂設した構成よりなる。
【００１６】
以上の構成よりなる係止片は、互いの離脱方向が容器本体側１の係止片４に対し蓋体１０側の係止片１３が上昇する方向となるので、蓋体が開口側に位置した状態でそれを上方に引き上げることにより係止及びその解除が可能となる作用を得られるが、この実施例においてはそれをワンタッチで実現するための工夫を施している。
【００１７】
すなわち、ここでは容器本体１側の係止片４の蓋体側の壁面５を斜め上方に向かって後退する傾斜面とすると共に、蓋体１０側の係止片１２の容器本体側の壁面１３を斜め下方に向かって後退する傾斜面としている。その結果、蓋体１０が容器本体１に向かって擺動して両者の係止片が当接した際に（図４、図５参照）、蓋体側の係止片１２の容器本体側の壁面１３が容器本体側の係止片４の蓋体側の壁面５を乗り越えて挿入されるので（図６、図７参照）、蓋体の閉止にあたって意識的にそれを引き上げなくても、単に擺動させるだけで蓋体が上方に偏位しながら係止が完了することとなる。
【００１８】
図８及び図９は蓋体１０の前方に設けられる手掛かり１４の詳細を示す図である。上記手掛かり１４は水平面からなる上方側の壁面１５と、斜め上方に向かって後退する傾斜面からなる下方側の壁面１６を有する凹陥部からなるものであり、使用者が上記手掛かりに手を差し入れた際に下方側の壁面の傾斜面に接した手先が蓋体を持ち上げる方向に誘導される作用を生じる。
【図面の簡単な説明】
【００１９】
【図１】この発明の蓋体の開閉機構を実施したごみ容器の要部の斜視図。
【図２】同上、蓋体の要部の斜視図。
【図３】同上、ごみ容器本体の要部の斜視図。
【図４】同上、作用を示すためのごみ容器の要部の断面図。
【図５】同上、作用を示すためのごみ容器の要部の断面図。
【図６】同上、作用を示すためのごみ容器の要部の断面図。
【図７】同上、作用を示すためのごみ容器の要部の断面図。
【図８】同上、蓋体の要部の断面図
【図９】同上、蓋体の要部の斜視図。
【符号の説明】
【００２０】
１            ごみ容器本体
３            軸受け
４            係止片
１０          蓋体
１１          蓋体
１２          係止片
１４          手掛かり
【図１】
2008303044.tif 000003
【図２】
2008303044.tif 000004
【図３】
2008303044.tif 000005
【図４】
2008303044.tif 000006
【図５】
2008303044.tif 000007
【図６】
2008303044.tif 000008
【図７】
2008303044.tif 000009
【図８】
2008303044.tif 000010
【図９】
2008303044.tif 000011